(57)【要約】【課題】銀行口座に資金が無い場合であっても簡単に資金を追加して勝馬投票券の購入等を行えるようにした勝馬投票システムの提供。【解決手段】利用者ごとに投票口座１０を管理する投票口座管理手段１１と、利用者の利用者端末４に対して指定の銀行口座２０から投票口座１０へ入金する金額を指示するためのウェブページを提供し、入金指示を受け付けるための入金受付手段１３と、この入金指示に基づいて指定の銀行口座２０に対し、指定金額の入金を指示する入金指示手段１４と、この入金指示に対して指定の銀行口座２０の残高が不足している旨の通知があった場合に、当該利用者端末４を融資機関の融資申し込みのウェブページへ導くウェブページを提供する融資提案手段１５とを有する。【選択図】図２
2007200008.tif 000002
【特許請求の範囲】
【請求項１】
利用者ごとに投票口座を管理する投票口座管理手段と、
利用者の利用者端末に対して指定の銀行口座から前記投票口座へ入金する金額を指示するためのウェブページを提供し、前記投票口座への入金指示を受け付けるための入金受付手段と、
同入金受付手段により受け付けた入金指示に基づいて前記指定の銀行口座に対し、指定金額の入金を指示する入金指示手段と、
同入金指示手段による入金指示に対して前記指定の銀行口座の残高が不足している旨の通知があった場合に、当該利用者端末を融資機関の融資申し込みのウェブページへ導くウェブページを提供する融資提案手段と、
利用者の利用者端末に対して勝馬投票券を購入するためのウェブページを提供し、当該利用者の投票口座の残高内で前記勝馬投票券の購入を受け付けるための投票手段と
を有する勝馬投票システム。
【請求項２】
前記融資提案手段は、複数の融資機関の中から融資申込先を選択可能としたものである請求項１記載の勝馬投票システム。
【請求項３】
前記利用者端末に対して融資金額およびこの融資金額の入金先の銀行口座を指定させる融資申し込みのウェブページを提供し、融資を受け付ける融資受付手段と、
同融資受付手段により受け付けた融資金額を指定の銀行口座に対して入金する融資手段と
を含む請求項１または２に記載の勝馬投票システム。
【請求項４】
利用者の利用者端末に対して指定の銀行口座から利用者ごとに管理する投票口座へ入金する金額を指示するためのウェブページを提供し、前記投票口座への入金指示を受け付ける入金受付ステップと、
同入金受付ステップにより受け付けた入金指示に基づいて前記指定の銀行口座に対し、指定金額の入金を指示する入金指示ステップと、
同入金指示ステップによる入金指示に対して前記指定の銀行口座の残高が不足している旨の通知があった場合に、前記利用者端末を融資機関の融資申し込みのウェブページへ導くウェブページを提供する融資提案ステップと、
前記利用者端末に対して融資金額およびこの融資金額の入金先の銀行口座を指定させる融資申し込みのウェブページを提供し、融資を受け付ける融資受付ステップと、
同融資受付ステップにより受け付けた融資金額を指定の銀行口座に対して入金する融資ステップと、
利用者の利用者端末に対して勝馬投票券を購入するためのウェブページを提供し、当該利用者の投票口座の残高内で前記勝馬投票券の購入を受け付けるための投票ステップと
を含む勝馬投票方法。
【発明の詳細な説明】
【技術分野】
【０００１】
本発明は、インターネットを経由して勝馬投票を行う勝馬投票システムおよび勝馬投票方法に関する。
【背景技術】
【０００２】
従来、競馬開催日に現金の引出および振込ができない契約がなされた金融機関の指定口座であるロック口座に投票資金を予め預金することにより勝馬投票を行う会員制の加入者が操作を行うウェブブラウザを有するパーソナルコンピュータや、インターネット対応の各社携帯電話の各会員端末からそれぞれ対応するインターネットを経由して勝馬投票を行う投票システムがある。
【０００３】
また、この投票システムでは、開催日においてロック口座に残高が無い場合には、勝馬投票ができないという問題がある。そこで、この問題を解決するため、投票システムに電子マネー、デビットカードあるいはクレジットカードにより決済を行う決済用のサブシステムを設け、この投票システム内で管理するロック口座残高に電子マネー、デビットカードあるいはクレジットカードによる入金額を加算して投票を行えるようにする試みがなされている（例えば、特許文献１，２参照。）。
【０００４】
また、現在、インターネット専業銀行の口座から投票システム内の投票口座へ勝馬投票券の購入資金を振り替え（以下、「入金」と称す。）、この振り替えた購入資金により勝馬投票券の購入、払い戻し・返還を行い、競馬終了後に投票口座から銀行口座へ残金を振り込み（以下、「出金」と称す。）するようにした投票システムが利用されている（例えば、非特許文献１，２参照。）。
【０００５】
【特許文献１】特開２００３−１４１３０１号公報
【特許文献２】特開２００３−１４１２９１号公報
【非特許文献１】“ＪＲＡ即ＰＡＴ利用ガイド”，第７頁，［online］，２００５年６月，日本中央競馬会，［平成１８年１月２０日検索］，インターネット＜ＵＲＬ：http://www.jra.go.jp/dento/soku/guide1.pdf＞
【非特許文献２】“即ＰＡＴ入出金操作マニュアル”，［online］，日本中央競馬会，［平成１８年１月２０日検索］，インターネット＜ＵＲＬ：http://www.jra.go.jp/dento/soku/manual2/index.htm＞
【発明の開示】
【発明が解決しようとする課題】
【０００６】
ところが、特許文献１，２に記載の投票システムは、未だ実現されていない。投票システムに、現実に電子マネー、デビットカードあるいはクレジットカードにより決済を行う決済用のサブシステムを追加するためには、大がかりなシステム変更が要求されるためであると考えられる。
【０００７】
したがって、現在利用されている銀行口座から投票口座へ勝馬投票券の購入資金を入金して勝馬投票券の購入等を行う投票システムにおいても、銀行口座に投票資金が無い場合には投票口座へ購入資金の入金を行うことができないという問題は解決されていない。
【０００８】
そこで、本発明は、銀行口座から投票口座へ資金を入金して勝馬投票券の購入等を行う勝馬投票システムにおいて、銀行口座に資金が無い場合であっても簡単に資金を追加して勝馬投票券の購入等を行えるようにした勝馬投票システムを、大がかりなシステム変更を行うことなく実現可能とすることを目的とする。
【課題を解決するための手段】
【０００９】
本発明の勝馬投票システムは、利用者ごとに投票口座を管理する投票口座管理手段と、利用者の利用者端末に対して指定の銀行口座から投票口座へ入金する金額を指示するためのウェブページを提供し、投票口座への入金指示を受け付けるための入金受付手段と、入金受付手段により受け付けた入金指示に基づいて指定の銀行口座に対し、指定金額の入金を指示する入金指示手段と、入金指示手段による入金指示に対して指定の銀行口座の残高が不足している旨の通知があった場合に、当該利用者端末を融資機関の融資申し込みのウェブページへ導くウェブページを提供する融資提案手段と、利用者の利用者端末に対して勝馬投票券を購入するためのウェブページを提供し、当該利用者の投票口座の残高内で勝馬投票券の購入を受け付けるための投票手段とを有する勝馬投票システムである。
【００１０】
本発明によれば、入金指示に対して指定の銀行口座の残高が不足している旨の通知があった場合に、当該利用者端末が融資機関の融資申し込みのウェブページへと導かれる。そして、当該利用者端末により融資機関の融資申し込みのウェブページにおいて、融資申し込みを行い、指定の銀行口座への入金が行われると、利用者はこの指定の銀行口座から投票口座へ入金することが可能となるため、この投票口座の残高内で勝馬投票券の購入を行うことが可能となる。
【００１１】
ここで、融資提案手段は、複数の融資機関の中から融資申込先を選択可能としたものであることが望ましい。これにより、利用者は融資申込先を複数の融資機関の中から任意に選択することが可能になるとともに、既に利用者が登録している融資機関が存在する場合には、その登録している融資機関を選択することで、新規に登録することなく容易に融資を受けることが可能となる。
【００１２】
また、本発明の勝馬投票システムが、利用者端末に対して融資金額およびこの融資金額の入金先の銀行口座を指定させる融資申し込みのウェブページを提供し、融資を受け付ける融資受付手段と、融資受付手段により受け付けた融資金額を指定の銀行口座に対して入金する融資手段とを含むものとすれば、入金指示に対して指定の銀行口座の残高が不足している旨の通知があり、当該利用者端末が融資機関の融資申し込みのウェブページへと導かれた際に、利用者端末に対して融資金額およびこの融資金額の入金先の銀行口座を指定させる融資申し込みのウェブページが提供される。そして、このウェブページにより融資が受け付けられると、指定の銀行口座に対して入金が行われ、利用者はこの指定の銀行口座から投票口座へ入金することが可能となるため、この投票口座の残高内で勝馬投票券の購入を行うことが可能となる。
【００１３】
本発明の勝馬投票方法は、利用者の利用者端末に対して指定の銀行口座から利用者ごとに管理する投票口座へ入金する金額を指示するためのウェブページを提供し、投票口座への入金指示を受け付ける入金受付ステップと、入金受付ステップにより受け付けた入金指示に基づいて指定の銀行口座に対し、指定金額の入金を指示する入金指示ステップと、入金指示ステップによる入金指示に対して指定の銀行口座の残高が不足している旨の通知があった場合に、利用者端末を融資機関の融資申し込みのウェブページへ導くウェブページを提供する融資提案ステップと、利用者端末に対して融資金額およびこの融資金額の入金先の銀行口座を指定させる融資申し込みのウェブページを提供し、融資を受け付ける融資受付ステップと、融資受付ステップにより受け付けた融資金額を指定の銀行口座に対して入金する融資ステップと、利用者の利用者端末に対して勝馬投票券を購入するためのウェブページを提供し、当該利用者の投票口座の残高内で勝馬投票券の購入を受け付けるための投票ステップとを含む。
【００１４】
本発明によれば、入金指示に対して指定の銀行口座の残高が不足している旨の通知があった場合に、当該利用者端末が融資機関の融資申し込みのウェブページへと導かれる。そして、この利用者端末に対して融資金額およびこの融資金額の入金先の銀行口座を指定させる融資申し込みのウェブページが提供される。また、このウェブページにより融資が受け付けられると、指定の銀行口座に対して入金が行われ、利用者はこの指定の銀行口座から投票口座へ入金することが可能となるため、この投票口座の残高内で勝馬投票券の購入を行うことが可能となる。
【発明の効果】
【００１５】
本発明によれば、銀行口座に資金が無い場合であってもこの銀行口座に簡単に資金を追加し、この銀行口座から投票口座へ資金を入金して、勝馬投票券の購入等を行うことが可能となる。また、この勝馬投票システムは、勝馬投票券の購入を行う利用者端末を融資機関の融資申し込みのウェブページに導くだけで、その後の融資処理を融資機関により行うことができるので、大がかりなシステム変更を行うことなく実現することが可能となる。
【発明を実施するための最良の形態】
【００１６】
図１は本発明の実施の形態における勝馬投票システムの全体構成図、図２は図１の勝馬投票システムのブロック図である。
【００１７】
図１に示すように、本発明の実施の形態における勝馬投票システムは、勝馬投票所の勝馬投票サーバ１と、銀行機関の銀行機関サーバ２と、消費者金融等の融資機関の融資機関サーバ３と、利用者の利用者端末４とから構成される。勝馬投票サーバ１、銀行機関サーバ２、融資機関サーバ３および利用者端末４は、それぞれインターネット５に接続されている。なお、利用者端末４は、インターネット５を介して勝馬投票サーバ１および融資機関サーバ３に接続可能なものであれば良く、携帯電話装置その他の携帯型端末装置や、パーソナルコンピュータ等のいずれでも良い。
【００１８】
図２に示すように、勝馬投票サーバ１は、利用者ごとに投票口座１０を管理する投票口座管理手段１１と、勝馬投票券の購入、返還や払戻等の処理を行う投票手段１２と、利用者端末４からの入金指示の受け付けを行う入金受付手段１３と、銀行機関サーバ２に対して入金の指示を行う入金指示手段１４と、利用者端末４に対して融資の提案を行う融資提案手段１５とを有する。なお、図２の例では、投票口座１０を勝馬投票サーバ１内に含めているが、勝馬投票サーバ１外にあっても良い。
【００１９】
投票口座１０は、勝馬投票券の購入資金を管理するための口座である。投票口座１０は、利用者ごとに開設されている。各利用者は、ＩＤや暗証番号等により勝馬投票サーバ１に管理されており、投票口座１０は各利用者のＩＤに関連付けられている。各利用者は、各自の銀行機関の銀行口座２０から各自の投票口座１０へ資金を入金することにより、投票手段１２による勝馬投票券の購入が可能になる。投票口座管理手段１１は、投票口座１０への入金や投票口座１０からの出金等を行う。投票手段１２は、投票口座１０の残高内で勝馬投票券の購入を受け付ける。
【００２０】
入金受付手段１３は、利用者端末４から入金金額が指定された入金指示を受け付け、入金指示手段１４へこの指定内容を通知する。入金指示手段１４は、この通知された入金金額に基づいて、各利用者の銀行口座２０の銀行機関サーバ２に対し、指定された入金金額を各利用者の銀行口座２０から各利用者の投票口座１０へ入金するように指示する。なお、各利用者の銀行口座２０は、予め勝馬投票サーバ１に登録されており、投票口座１０と同様、各利用者のＩＤと関連付けられている。
【００２１】
なお、各利用者の銀行口座２０に指定された入金金額の残高以上の残高が無い場合、銀行機関サーバ２は残高不足である旨の通知を行うものである。融資提案手段１５は、この残高不足の通知を受けて、利用者端末４に対して融資の提案を行うものである。
【００２２】
融資機関サーバ３は、利用者端末４から融資の申し込みを受け付ける融資受付手段３１と、融資受付手段３１により受け付けた融資の申し込みに基づいて指定の銀行口座２０に対して入金を行う融資手段３２とを有する。
【００２３】
次に、上記構成の勝馬投票システムによる入金処理について説明する。図３は図１の勝馬投票システムによる入金処理手順を示すフロー図である。
【００２４】
まず、事前に利用者は、勝馬投票サーバ１に登録し、ＩＤ等を取得しておく。そして、利用者は利用者端末４により勝馬投票サーバ１へ接続する。勝馬投票サーバ１は、この利用者端末４に対してログインのためのウェブページ（図示せず。）を提供し、ＩＤを入力、送信させることにより、ログインを許可する。そして、利用者が、利用者端末４へ勝馬投票サーバ１により提供されるメインメニューのウェブページ（図示せず。）から入金指示を選択すると、図３の入金処理が開始される。
【００２５】
勝馬投票サーバ１の入金受付手段１３は、利用者端末４に対して図４に示す入金指示のためのウェブページ２００を提供する（ステップＳ１００）。ウェブページ２００には、入金する金額を指示するための金額入力欄２０１が設けられている。利用者は、利用者端末４によりこのウェブページ２００の金額入力欄２０１に入金金額を入力し、「確認」ボタン２０２をクリックすることで、自身の銀行口座２０から自身の投票口座１０への入金を指定する。なお、自身の銀行口座２０についてはここで指定せずに、事前に勝馬投票サーバ１へ登録しておく。
【００２６】
そして、入金受付手段１３は、このウェブページ２００により入力され、送信された入金金額に基づいて、図５に示す入金指示確認のためのウェブページ２１０を作成し、利用者端末４へ提供する。このウェブページ２１０には、入金金額、入金手数料、口座振替金額合計や利用銀行等が表示される。また、このウェブページ２１０には、暗証番号を入力するための暗証番号入力欄２１１が設けられている。利用者は、利用者端末４によりこのウェブページ２１０の暗証番号入力欄２１１に暗証番号を入力し、「実行」ボタン２１２をクリックすることで、入金実行を指示する。入金受付手段１３は、この入金実行の指示を正常に受け付けると、図６に示す入金指示結果を通知するためのウェブページ２２０を作成し、利用者端末４へ提供する。
【００２７】
そして、勝馬投票サーバ１の入金指示手段１４は、入金受付手段１３により受け付けた入金指示に基づいて、指定の銀行口座２０に対し、指定金額の入金を指示する（ステップＳ１０１）。銀行機関サーバ２は、この勝馬投票サーバ１からの入金指示を受けて、指定の銀行口座２０の残高を確認し、指示された入金金額以上の残高があるかどうか、すなわち残高が不足していないかどうか判断する（ステップＳ１０２）。ここで、残高が不足していない場合には、銀行機関サーバ２は投票口座１０への入金（振り替え）処理を行う（ステップＳ１０３）。
【００２８】
一方、残高が不足していた場合には、銀行機関サーバ２は勝馬投票サーバ１に対して指定の銀行口座２０の残高が不足している旨の通知を行う。勝馬投票サーバ１は、この通知を受けると、融資提案手段１５により利用者端末４を融資機関の融資申し込みのウェブページ２５０（図９参照。）へ導くウェブページ２３０（図７参照。）を提供する（ステップＳ１０４）。このウェブページ２３０には、指定の銀行口座の残高が不足しているため、入金処理ができなかった旨を示す文章と、「融資申し込み」ボタン２３２が設けられている。
【００２９】
そして、利用者が、利用者端末４によりこの「融資申し込み」ボタン２３２をクリックすると、融資提案手段１５は、複数の融資機関の中から融資申込先を選択するためのウェブページ２４０（図８参照。）を利用者端末４へ提供する。ここで、利用者が、融資機関のリスト２４１の中で既に登録しているものがある場合には、該当する融資機関の右のラジオボタン２４２を選択し、「融資申込みページへ」ボタン２４４をクリックすれば良い。また、新規の場合には、新規登録の右のラジオボタン２４３を選択し、「融資申込みページへ」ボタン２４４をクリックする。
【００３０】
既に登録の融資機関のラジオボタン２４２が選択され、「融資申込みページへ」ボタン２４４がクリックされると、融資提案手段１５は、利用者端末４を融資機関の融資申し込みのウェブページ２５０（図９参照。）へと導く。なお、図示しないが、この融資申し込みのウェブページ２５０に至るには、適宜、登録の融資機関へのログインが必要である。この融資申込みのウェブページ２５０は、指定の融資機関サーバ３の融資受付手段３１により利用者端末４へ提供される。
【００３１】
一方、新規登録のラジオボタン２４３が選択され、「融資申込みページへ」ボタン２４４がクリックされると、融資提案手段１５は、利用者端末４を融資機関の登録のためのウェブページ（図示せず。）へと導く。この登録のためのウェブページでは、利用者の氏名、生年月日、性別、連絡先の電話番号、住所や銀行口座２０等に関する情報を入力させ、融資機関サーバ３へ送信させる。
【００３２】
融資申込みのウェブページ２５０には、融資金振込指定口座、融資申込日、契約者名、郵便番号、都道府県、住所や電話番号等が表示される。また、この融資申込みのウェブページ２５０には、融資希望金額を入力する金額入力欄２５１と、利用規約に同意する旨を確認するためのチェックボックス２５２とが設けられている。利用者が、金額入力欄２５１に希望の融資金額を入力し、チェックボックス２５２をチェックして「審査結果」ボタン２５３をクリックすると、この入力内容が融資機関サーバ３へと送信され、融資受付手段３１により受け付けられる（ステップＳ１０５）。
【００３３】
ここで、融資機関サーバ３の融資手段３２は、融資が可能であるかどうか審査を行い、融資が可能な場合には、受け付けた融資金額を、指定された銀行口座２０に対して入金する（ステップＳ１０６）。なお、この入金先の銀行口座２０は事前に登録しておいたものである。また、融資受付手段３１は、この融資審査の結果を示すウェブページ２６０（図１０参照。）を利用者端末４へ送信する。利用者は、この融資審査の結果を受け、このウェブページ２６０の「入金手続へ」ボタン２６１をクリックすると、再びステップＳ１００の入金受付処理へと戻る。なお、投票手段１２による勝馬投票券の購入等の処理については従来技術と同様のため、ここでの説明を省略する。
【００３４】
以上のように、本実施形態における勝馬投票システムでは、利用者端末４からの入金指示に対して指定の銀行口座２０の残高が不足している旨の通知があった場合に、勝馬投票サーバ１により当該利用者端末４が融資機関の融資申し込みのウェブページ２５０へと導かれる。そして、融資機関サーバ３により、この利用者端末４に対して融資金額およびこの融資金額の入金先の銀行口座２０を指定させる融資申し込みのウェブページ２５０が提供され、このウェブページ２５０により融資が受け付けられると、指定の銀行口座２０に対して入金が行われる。
【００３５】
これにより、利用者はこの指定の銀行口座２０の残高が増え、投票口座１０へ入金することが可能となるため、この投票口座１０の残高内で勝馬投票券の購入を行うことが可能となる。すなわち、銀行口座２０に資金が無い場合であってもこの銀行口座２０に簡単に資金を追加し、この銀行口座２０から投票口座１０へ資金を入金して、勝馬投票券の購入等を行うことが可能となる。
【００３６】
また、この勝馬投票システムは、勝馬投票券の購入を行う利用者端末４を融資機関の融資申し込みのウェブページ２５０に導くだけで、その後の融資処理を融資機関により行うことができるので、大がかりなシステム変更を行うことなく実現することが可能である。
【産業上の利用可能性】
【００３７】
本発明は、インターネットを経由して勝馬投票を行う勝馬投票システムおよび勝馬投票方法として有用である。
【図面の簡単な説明】
【００３８】
【図１】本発明の実施の形態における勝馬投票システムの全体構成図である。
【図２】図１の勝馬投票システムのブロック図である。
【図３】図１の勝馬投票システムによる入金処理手順を示すフロー図である。
【図４】入金指示のためのウェブページの例を示す図である。
【図５】入金指示確認のためのウェブページの例を示す図である。
【図６】入金指示結果を通知するためのウェブページの例を示す図である。
【図７】融資申し込みのウェブページへ導くウェブページの例を示す図である。
【図８】融資申込先を選択するためのウェブページの例を示す図である。
【図９】融資申し込みのウェブページの例を示す図である。
【図１０】融資審査の結果を示すウェブページの例を示す図である。
【符号の説明】
【００３９】
１  勝馬投票サーバ
２  銀行機関サーバ
３  融資機関サーバ
４  利用者端末
５  インターネット
１０  投票口座
１１  投票口座管理手段
１２  投票手段
１３  入金受付手段
１４  入金指示手段
１５  融資提案手段
２０  銀行口座
３１  融資受付手段
３２  融資手段
【図１】
2007200008.tif 000003
【図２】
2007200008.tif 000004
【図３】
2007200008.tif 000005
【図４】
2007200008.tif 000006
【図５】
2007200008.tif 000007
【図６】
2007200008.tif 000008
【図７】
2007200008.tif 000009
【図８】
2007200008.tif 000010
【図９】
2007200008.tif 000011
【図１０】
2007200008.tif 000012